(57)【特許請求の範囲】
【請求項１】
吸収ヒートポンプであって；
冷媒を比較的多く含有している吸収液である希溶液を加熱し、前記希溶液から冷媒を蒸発させて濃度が上昇した高濃度吸収液を生成する再生器と；
被加熱媒体の流路を内部に有する高温吸収器であって、前記再生器から前記高濃度吸収液を導入し、導入した前記高濃度吸収液が冷媒の蒸気を吸収する際に発生する吸収熱で前記被加熱媒体を加熱する高温吸収器と；
前記高温吸収器で前記高濃度吸収液が冷媒の蒸気を吸収して濃度が低下した吸収液が位置ヘッドでは流入しない高さに配置された低温吸収器であって、前記濃度が低下した吸収液を直接的又は間接的に導入し、導入した前記吸収液が冷媒の蒸気を吸収する際に発生する吸収熱で冷媒を加熱する低温吸収器と；
前記高温吸収器の前記濃度が低下した吸収液を直接的又は間接的に前記再生器に導く吸収液戻り手段と；
前記高温吸収器の前記濃度が低下した吸収液を前記再生器に導く第１のバイパス流路と；
前記第１のバイパス流路に配設され、前記第１のバイパス流路を遮断可能な第１の弁とを備え；
前記吸収液戻り手段は、前記第１の弁が配設された前記第１のバイパス流路を含んで構成され；
前記吸収ヒートポンプの起動時に前記第１の弁を開にし、前記高温吸収器内の前記濃度が低下した吸収液を前記高温吸収器と前記低温吸収器との内圧の差によって前記低温吸収器に搬送できるようになったときに前記第１の弁を全閉にするように前記第１の弁を制御する制御装置とをさらに備える；
吸収ヒートポンプ。
【請求項２】
前記高温吸収器から導入した前記濃度が低下した吸収液が冷媒の蒸気を吸収する際に発生する吸収熱で冷媒を加熱する中温吸収器を備え；
前記低温吸収器は、前記中温吸収器で前記吸収液が冷媒の蒸気を吸収して濃度が低下した吸収液を導入するように構成され；
前記中温吸収器の前記吸収液を前記再生器に導く第２のバイパス流路と；
前記第２のバイパス流路に配設され、前記第２のバイパス流路を遮断可能な第２の弁とをさらに備え；
前記制御装置は、前記高温吸収器内の前記濃度が低下した吸収液を前記高温吸収器と前記低温吸収器との内圧の差によって前記低温吸収器に搬送できるようになったときに代えて前記高温吸収器内の前記濃度が低下した吸収液を前記高温吸収器と前記中温吸収器との内圧の差によって前記中温吸収器に搬送できるようになったときに前記第１の弁を全閉にするように前記第１の弁を制御すると共に、前記吸収ヒートポンプの起動時に前記第２の弁を開にし、前記中温吸収器内の前記濃度が低下した吸収液を前記中温吸収器と前記低温吸収器との内圧の差によって前記低温吸収器に搬送できるようになったときに前記第２の弁を全閉にするように前記第２の弁を制御する；
請求項１に記載の吸収ヒートポンプ。
【発明の詳細な説明】
【技術分野】
【０００１】
本発明は吸収ヒートポンプに関し、特に安定した起動を行うことができる吸収ヒートポンプに関する。
【背景技術】
【０００２】
駆動熱源温度より高い温度の被加熱媒体を取り出す熱源機械として、吸収ヒートポンプがある。吸収ヒートポンプは、冷媒液を蒸発させる蒸発器、冷媒蒸気を吸収液で吸収させる吸収器、吸収液から冷媒を離脱させる再生器、冷媒蒸気を凝縮させる凝縮器を主要構成として備えている。吸収ヒートポンプには、蒸発器及び吸収器のそれぞれについて、作動温度（作動圧力）が異なるものを複数設けた多段昇温型のものがある。多段昇温型吸収ヒートポンプは、吸収液の流し方によっていくつかの種類があるが、シリーズフローのものが最もＣＯＰが高い。シリーズフローの多段昇温型吸収ヒートポンプは、再生器で濃縮した吸収液を、最も作動温度が高い吸収器に導き、その後、順次作動温度が低い吸収器に導くものである（例えば、特許文献１参照。）。
【先行技術文献】
【特許文献】
【０００３】
【特許文献１】特開２００６−１１２６８６号公報
【発明の概要】
【発明が解決しようとする課題】
【０００４】
シリーズフローの多段昇温型吸収ヒートポンプは、起動時には複数の吸収器の間に内部圧力の差がないため、位置ヘッドで吸収液を流動させるように、作動温度が低い吸収器から作動温度が高い吸収器の順に上方に積んでいくことで、起動時においても吸収液を流動させることができるようになる。しかしながら、複数の吸収器を順に上方に積んでいくと、吸収ヒートポンプの高さが高くなり、設置の自由度が制限されることとなる。
【０００５】
本発明は上述の課題に鑑み、作動温度が低い吸収器が位置ヘッドで吸収液を導入することができない位置に配置されていても安定した起動を行うことができる吸収ヒートポンプを提供することを目的とする。
【課題を解決するための手段】
【０００６】
上記目的を達成するために、本発明の第１の態様に係る吸収ヒートポンプは、例えば図１に示すように、冷媒を比較的多く含有している吸収液である希溶液Ｓｗを加熱し、希溶液Ｓｗから冷媒を蒸発させて濃度が上昇した高濃度吸収液Ｓａを生成する再生器７０と；被加熱媒体Ｗの流路１１を内部に有する高温吸収器１０であって、再生器７０から高濃度吸収液Ｓａを導入し、導入した高濃度吸収液Ｓａが冷媒の蒸気Ｖａを吸収する際に発生する吸収熱で被加熱媒体Ｗを加熱する高温吸収器１０と；高温吸収器１０で高濃度吸収液Ｓａが冷媒の蒸気Ｖａを吸収して濃度が低下した吸収液Ｓｂが位置ヘッドでは流入しない高さに配置された低温吸収器５０であって、濃度が低下した吸収液Ｓｂを直接的又は間接的に導入し、導入した吸収液Ｓｂが冷媒の蒸気Ｖｃを吸収する際に発生する吸収熱で冷媒を加熱する低温吸収器５０と；高温吸収器１０の濃度が低下した吸収液Ｓｂを直接的又は間接的に低温吸収器５０及び再生器７０の少なくとも一方に導く吸収液戻り手段３６とを備える。
【０００７】
このように構成すると、低温吸収器とその上流の吸収器との間に吸収液を搬送するのに足りる差圧がない場合でも、吸収液戻り手段で吸収液を低温吸収器又は再生器に導くことができ、吸収ヒートポンプの安定した起動が可能になる。
【０００８】
また、本発明の第２の態様に係る吸収ヒートポンプは、例えば図１に示すように、上記本発明の第１の態様に係る吸収ヒートポンプ１において、吸収液戻り手段は、吸収液Ｓｂを低温吸収器５０に圧送する第１の吸収液戻りポンプ３６で構成されている。
【０００９】
このように構成すると、低温吸収器とその上流の吸収器との間に吸収液を搬送するのに足りる差圧がない場合でも、第１の吸収液戻りポンプで吸収液を低温吸収器に導くことができ、吸収ヒートポンプの安定した起動が可能になる。
【００１０】
また、本発明の第３の態様に係る吸収ヒートポンプは、例えば図２に示すように、上記本発明の第２の態様に係る吸収ヒートポンプにおいて、高温吸収器１０から導入した濃度が低下した吸収液Ｓｂが冷媒の蒸気Ｖｂを吸収する際に発生する吸収熱で冷媒を加熱する中温吸収器３０を備え；低温吸収器５０は、中温吸収器３０で吸収液Ｓｂが冷媒の蒸気Ｖｂを吸収して濃度が低下した吸収液Ｓｃを導入するように構成され；第１の吸収液戻りポンプ３６が、中温吸収器３０の吸収液Ｓｃを低温吸収器５０に搬送するように構成されている。
【００１１】
このように構成すると、低温吸収器と中温吸収器との間に吸収液を搬送するのに足りる差圧がない場合であっても、第１の吸収液戻り溶液ポンプで吸収液を低温吸収器に導くことができ、吸収ヒートポンプの安定した起動が可能になる。
【００１２】
また、本発明の第４の態様に係る吸収ヒートポンプは、例えば図２に示すように、上記本発明の第３の態様に係る吸収ヒートポンプにおいて、中温吸収器３０が、高温吸収器１０よりも高所に配置され；高温吸収器１０の濃度が低下した吸収液Ｓｂを中温吸収器３０に搬送する第２の吸収液戻りポンプ１６を備える。
【００１３】
このように構成すると、中温吸収器と高温吸収器との間に吸収液を搬送するのに足りる差圧がない場合であっても、第２の吸収液戻りポンプで吸収液を中温吸収器に導くことができ、吸収ヒートポンプの安定した起動が可能になる。また、中温吸収器を高温吸収器よりも低温吸収器の近くに配置しやすくなり、低温吸収器において吸収熱で加熱した冷媒を中温吸収器に導くことが簡便になる。
【００１４】
また、本発明の第５の態様に係る吸収ヒートポンプは、例えば図３に示すように、上記本発明の第３の態様に係る吸収ヒートポンプにおいて、高温吸収器１０が、中温吸収器３０よりも高所に配置されている。
【００１５】
このように構成すると、中温吸収器と高温吸収器との差圧が小さい場合でも、高温吸収器の吸収液を位置ヘッドで中温吸収器に導くことができ、高温吸収器から中温吸収器へ吸収液を導くポンプを設けなくて済む。
【００１６】
また、本発明の第６の態様に係る吸収ヒートポンプは、例えば図５に示すように、上記本発明の第１の態様に係る吸収ヒートポンプにおいて、高温吸収器１０の濃度が低下した吸収液Ｓｂを再生器７０に導く第１のバイパス流路１７ｓと；第１のバイパス流路１７ｓに配設され、第１のバイパス流路１７ｓを遮断可能な第１の弁１７ｖとを備え；吸収液戻り手段は、第１の弁１７ｖが配設された第１のバイパス流路１７ｓを含んで構成されている。
【００１７】
このように構成すると、低温吸収器とその上流の吸収器との間に吸収液を搬送するのに足りる差圧がない場合であっても、第１の弁を開けて第１のバイパス流路で吸収液を再生器に導くことができ、吸収ヒートポンプの安定した起動が可能になる。
【００１８】
また、本発明の第７の態様に係る吸収ヒートポンプは、例えば図６に示すように、上記本発明の第６の態様に係る吸収ヒートポンプにおいて、高温吸収器１０から導入した濃度が低下した吸収液Ｓｂが冷媒の蒸気Ｖｂを吸収する際に発生する吸収熱で冷媒を加熱する中温吸収器３０を備え；低温吸収器５０は、中温吸収器３０で吸収液Ｓｂが冷媒の蒸気Ｖｂを吸収して濃度が低下した吸収液Ｓｃを導入するように構成され；中温吸収器３０の吸収液Ｓｃを再生器７０に導く第２のバイパス流路３７ｓと；第２のバイパス流路３７ｓに配設され、第２のバイパス流路３７ｓを遮断可能な第２の弁３７ｖとをさらに備える。
【００１９】
このように構成すると、低温吸収器と中温吸収器との間に吸収液を搬送するのに足りる差圧がない場合であっても、第２の弁を開けて第２のバイパス流路で吸収液を再生器に導くことができ、吸収ヒートポンプの安定した起動が可能になる。
【発明の効果】
【００２０】
本発明によれば、低温吸収器とその上流の吸収器との間に吸収液を搬送するのに足りる差圧がない場合でも、吸収液戻り手段で吸収液を低温吸収器又は再生器に導くことができ、吸収ヒートポンプの安定した起動が可能になる。
【図面の簡単な説明】
【００２１】
【図１】本発明の第１の実施の形態に係る吸収ヒートポンプの模式的系統図である。
【図２】本発明の第１の実施の形態の第１の変形例に係る吸収ヒートポンプの模式的系統図である。
【図３】本発明の第１の実施の形態の第２の変形例に係る吸収ヒートポンプの模式的系統図である。
【図４】本発明の第１の実施の形態の第３の変形例に係る吸収ヒートポンプの模式的系統図である。
【図５】本発明の第２の実施の形態に係る吸収ヒートポンプの模式的系統図である。
【図６】本発明の第２の実施の形態の変形例に係る吸収ヒートポンプの模式的系統図である。
【発明を実施するための形態】
【００２２】
以下、図面を参照して本発明の実施の形態について説明する。なお、各図において互いに同一又は相当する部材には同一あるいは類似の符号を付し、重複した説明は省略する。
【００２３】
まず図１を参照して、本発明の第１の実施の形態に係る吸収ヒートポンプ１を説明する。図１は、吸収ヒートポンプ１の模式的系統図である。吸収ヒートポンプ１は、二段昇温型の吸収ヒートポンプである。吸収ヒートポンプ１は、本実施の形態では、比較的利用価値の低い低温（例えば８０℃〜９０℃程度）の排温水ｈを熱源媒体として導入し、利用価値の高い被加熱媒体蒸気Ｗｖ（例えば、圧力が約０．２ＭＰａ（ゲージ圧）を超え、望ましくは０．８ＭＰａ（ゲージ圧）程度）を取り出すことができる、第二種吸収ヒートポンプである。吸収ヒートポンプ１は、主要構成機器として、高温吸収器１０と、高温蒸発器２０と、低温吸収器５０と、低温蒸発器６０と、再生器７０と、凝縮器８０とを備えている。また、吸収ヒートポンプ１は、被加熱媒体蒸気Ｗｖを取り出す気液分離器９０を備えている。
【００２４】
なお、以下の説明においては、吸収液（「溶液」という場合もある）に関し、ヒートポンプサイクル上における区別を容易にするために、性状やヒートポンプサイクル上の位置に応じて「高濃度溶液Ｓａ」、「中濃度溶液Ｓｂ」、「低濃度溶液Ｓｃ」、「希溶液Ｓｗ」等と呼称するが、性状等を不問にするときは総称して「吸収液Ｓ」ということとする。同様に、冷媒に関し、ヒートポンプサイクル上における区別を容易にするために、性状やヒートポンプサイクル上の位置に応じて「高温冷媒蒸気Ｖａ」、「中温冷媒蒸気Ｖｂ」、「低温冷媒蒸気Ｖｃ」、「再生器冷媒蒸気Ｖｇ」、「冷媒液Ｖｆ」等と呼称するが、性状等を不問にするときは総称して「冷媒Ｖ」ということとする。本実施の形態では、吸収液Ｓ（吸収剤と冷媒Ｖとの混合物）としてＬｉＢｒ水溶液が用いられており、冷媒Ｖとして水（Ｈ２Ｏ）が用いられている。また、被加熱媒体Ｗは、液体の被加熱媒体Ｗである被加熱媒体液Ｗｑ、気体の被加熱媒体Ｗである被加熱媒体蒸気Ｗｖ、被加熱媒体液Ｗｑと被加熱媒体蒸気Ｗｖとが混合した混合被加熱媒体Ｗｍ、補給水Ｗｓの総称である。本実施の形態では、被加熱媒体Ｗとして水（Ｈ２Ｏ）が用いられている。
【００２５】
高温吸収器１０は、被加熱媒体Ｗの流路を構成する伝熱管１１と、高濃度溶液Ｓａを散布する高濃度溶液散布ノズル１２とを内部に有している。高濃度溶液散布ノズル１２は、散布した高濃度溶液Ｓａが伝熱管１１に降りかかるように、伝熱管１１の上方に配設されている。高温吸収器１０は、高濃度溶液散布ノズル１２から高濃度溶液Ｓａが散布され、高濃度溶液Ｓａが高温冷媒蒸気Ｖａを吸収する際に吸収熱を発生させる。この吸収熱を、伝熱管１１を流れる被加熱媒体Ｗが受熱して、被加熱媒体Ｗが加熱されるように構成されている。高温吸収器１０の下部には、中濃度溶液Ｓｂが貯留される貯留部１３が形成されている。中濃度溶液Ｓｂは、高濃度溶液散布ノズル１２から散布された高濃度溶液Ｓａが高温冷媒蒸気Ｖａを吸収して、高濃度溶液Ｓａから濃度が低下した吸収液Ｓである。伝熱管１１は、中濃度溶液Ｓｂに没入しないように、貯留部１３よりも上方に配設されている。このようにすると、発生した吸収熱が伝熱管１１内を流れる被加熱媒体Ｗに速やかに伝わり、吸収能力の回復を早めることができる。
【００２６】
高温蒸発器２０は、高温吸収器１０に高温冷媒蒸気Ｖａを供給する構成部材である。高温蒸発器２０は、冷媒液Ｖｆ及び高温冷媒蒸気Ｖａを収容する冷媒気液分離胴２１と、高温冷媒液供給管２２と、高温冷媒蒸気受入管２４とを有している。高温冷媒液供給管２２は、冷媒液Ｖｆを低温吸収器５０の加熱管５１に導く流路を構成する管である。高温冷媒蒸気受入管２４は、低温吸収器５０の加熱管５１で冷媒液Ｖｆが加熱されて生成された高温冷媒蒸気Ｖａあるいは高温冷媒蒸気Ｖａと冷媒液Ｖｆとの冷媒気液混相を冷媒気液分離胴２１まで案内する流路を構成する管である。冷媒気液分離胴２１内には、高温冷媒蒸気Ｖａ中に含まれる冷媒Ｖの液滴を衝突分離させるバッフル板（不図示）が設けられている。本実施の形態では、低温吸収器５０の加熱管５１の内面を高温蒸発器２０の伝熱面としている。また、高温蒸発器２０には冷媒液Ｖｆを導入する冷媒液管８４が接続されている。高温冷媒液供給管２２は、冷媒気液分離胴２１の冷媒液Ｖｆが貯留されている部分に一端が接続され、他端が加熱管５１の一端に接続されている。高温冷媒液供給管２２には、冷媒気液分離胴２１内の冷媒液Ｖｆを加熱管５１に送る高温冷媒液ポンプ２３が配設されている。高温冷媒蒸気受入管２４は、冷媒気液分離胴２１に一端が接続され、他端が加熱管５１の他端に接続されている。なお、加熱管５１の内部で冷媒液Ｖｆが蒸気に変化して密度が大幅に減少するので、加熱管５１を気泡ポンプとして機能させることとして、高温冷媒液ポンプ２３を省略することとしてもよい。
【００２７】
高温蒸発器２０と高温吸収器１０とは、高温冷媒蒸気流路としての高温冷媒蒸気管２９で接続されている。高温冷媒蒸気管２９は、一方の端部が冷媒気液分離胴２１の上部（典型的には頂部）に接続されており、他方の端部が高濃度溶液散布ノズル１２よりも上方で高温吸収器１０に接続されている。このような構成により、高温蒸発器２０で生成された高温冷媒蒸気Ｖａを、高温冷媒蒸気管２９を介して、高温吸収器１０に供給することができるようになっている。
【００２８】
低温吸収器５０は、冷媒液Ｖｆ及び高温冷媒蒸気Ｖａの流路を構成する加熱管５１と、吸収液散布ノズル５２とを内部に有している。加熱管５１は、上述のように、一端に高温冷媒液供給管２２が、他端に高温冷媒蒸気受入管２４が、それぞれ接続されている。吸収液散布ノズル５２は、本実施の形態では、中濃度溶液Ｓｂを散布する。吸収液散布ノズル５２は、散布した中濃度溶液Ｓｂが加熱管５１に降りかかるように、加熱管５１の上方に配設されている。吸収液散布ノズル５２には、中濃度溶液Ｓｂを内部に流す中濃度溶液管１５の一端が接続されている。低温吸収器５０は、吸収液散布ノズル５２から中濃度溶液Ｓｂが散布され、中濃度溶液Ｓｂが低温冷媒蒸気Ｖｃを吸収する際に生じる吸収熱により、加熱管５１を流れる冷媒液Ｖｆを加熱して高温冷媒蒸気Ｖａを生成することができるように構成されている。低温吸収器５０は、高温吸収器１０よりも低い圧力（露点温度）で作動するように構成されており、高温吸収器１０よりも作動温度が低くなっている。低温吸収器５０の下部には、希溶液Ｓｗが貯留される貯留部５３が形成されている。希溶液Ｓｗは、吸収液散布ノズル５２から散布された吸収液Ｓ（本実施の形態では中濃度溶液Ｓｂ）が低温冷媒蒸気Ｖｓを吸収して濃度が低下した吸収液Ｓである。希溶液Ｓｗは、高濃度溶液Ｓａ及び中濃度溶液Ｓｂと比較して、冷媒Ｖを多く含んでいる。加熱管５１は、貯留部５３よりも上方に配設されている。
【００２９】
低温蒸発器６０は、熱源媒体としての排温水ｈの流路を構成する第１の熱源媒体流路としての熱源管６１と、冷媒液Ｖｆを散布する冷媒液散布ノズル６２とを内部に有している。冷媒液散布ノズル６２は、散布した冷媒液Ｖｆが熱源管６１に降りかかるように、熱源管６１の上方に配設されている。低温蒸発器６０には、冷媒液Ｖｆを内部に流す冷媒液管８６の一端が接続されている。冷媒液管８６には、低温蒸発器６０に導入する冷媒液Ｖｆの流量を調節する流量調節弁８７が配設されている。低温蒸発器６０の下部（典型的には底部）には、低温蒸発器６０の下部に貯留された冷媒液Ｖｆを冷媒液散布ノズル６２へ導く低温冷媒液管６５の一端が接続されている。低温冷媒液管６５の他端は、冷媒液散布ノズル６２に接続されている。低温冷媒液管６５には、内部を流れる冷媒液Ｖｆを圧送する低温冷媒液ポンプ６６が配設されている。低温蒸発器６０は、冷媒液散布ノズル６２から冷媒液Ｖｆが散布され、散布された冷媒液Ｖｆが熱源管６１内を流れる排温水ｈの熱で蒸発して低温冷媒蒸気Ｖｃが発生するように構成されている。低温蒸発器６０は、高温蒸発器２０よりも低い圧力（露点温度）で作動するように構成されており、高温蒸発器２０よりも作動温度が低くなっている。
【００３０】
低温吸収器５０と低温蒸発器６０とは、本実施の形態では、相互に連通するように１つの缶胴内に形成されている。低温吸収器５０と低温蒸発器６０とが連通することにより、低温蒸発器６０で発生した低温冷媒蒸気Ｖｃを低温吸収器５０に供給することができるように構成されている。低温吸収器５０と低温蒸発器６０とは、典型的には、吸収液散布ノズル５２より上方及び冷媒液散布ノズル６２より上方で連通している。
【００３１】
再生器７０は、熱源媒体としての排温水ｈの流路を構成する第２の熱源媒体管としての熱源管７１と、希溶液Ｓｗを散布する希溶液散布ノズル７２とを有している。本実施の形態では、低温蒸発器６０の熱源管６１を流れる排温水ｈと、再生器７０の熱源管７１を流れる排温水ｈとは同じ温水であり、熱源管６１を流れた排温水ｈがその後熱源管７１を流れるように配管（不図示）で接続されているが、各熱源管６１、７１に異なる熱源媒体が流れることとしてもよい。希溶液散布ノズル７２は、散布した希溶液Ｓｗが熱源管７１に降りかかるように、熱源管７１の上方に配設されている。再生器７０は、散布された希溶液Ｓｗが排温水ｈで加熱されることにより、希溶液Ｓｗから冷媒Ｖが蒸発して濃度が上昇した高濃度溶液Ｓａが生成される。再生器７０は、生成された高濃度溶液Ｓａが下部に貯留されるように構成されている。
【００３２】
凝縮器８０は、冷却媒体流路を形成する冷却水管８１を有している。冷却水管８１には、冷却媒体としての冷却水ｃが流れる。凝縮器８０は、再生器７０で発生した冷媒Ｖの蒸気である再生器冷媒蒸気Ｖｇを導入し、これを冷却水ｃで冷却して凝縮させるように構成されている。冷却水管８１は、再生器冷媒蒸気Ｖｇを直接冷却することができるように、再生器冷媒蒸気Ｖｇが凝縮した冷媒液Ｖｆに浸らないように配設されている。凝縮器８０には、凝縮した冷媒液Ｖｆを高温蒸発器２０及び低温蒸発器６０に向けて送る冷媒液管８８が接続されている。冷媒液管８８は、高温蒸発器２０に接続された冷媒液管８４及び低温蒸発器６０に接続された冷媒液管８６に接続されており、凝縮器８０内の冷媒液Ｖｆを高温蒸発器２０と低温蒸発器６０とに分配することができるように構成されている。冷媒液管８８には、冷媒液Ｖｆを圧送するための凝縮冷媒ポンプ８９が配設されている。
【００３３】
再生器７０と凝縮器８０とは、相互に連通するように１つの缶胴内に形成されている。再生器７０と凝縮器８０とが連通することにより、再生器７０で発生した再生器冷媒蒸気Ｖｇを凝縮器８０に供給することができるように構成されている。再生器７０と凝縮器８０とは、上部の気相部で連通している。また、本実施の形態では、再生器７０及び凝縮器８０が、高温吸収器１０、高温蒸発器２０、低温吸収器５０、低温蒸発器６０の下方に設けられている。
【００３４】
再生器７０の高濃度溶液Ｓａが貯留される部分と、高温吸収器１０の高濃度溶液散布ノズル１２とは、高濃度溶液管７５で接続されている。高濃度溶液管７５には、再生器７０内の高濃度溶液Ｓａを高濃度溶液散布ノズル１２に圧送する高濃度溶液ポンプ７６が配設されている。高温吸収器１０の貯留部１３と、低温吸収器５０の吸収液散布ノズル５２とは、中濃度溶液管１５で接続されている。低温吸収器５０の貯留部５３と、再生器７０の希溶液散布ノズル７２とは、希溶液管５５で接続されている。希溶液管５５には、低温吸収器５０内の希溶液Ｓｗを再生器７０に圧送する希溶液ポンプ５６が配設されている。中濃度溶液管１５及び高濃度溶液管７５には、高温熱交換器１８が配設されている。高温熱交換器１８は、中濃度溶液管１５を流れる中濃度溶液Ｓｂと、高濃度溶液管７５を流れる高濃度溶液Ｓａとの間で熱交換を行わせる機器である。希溶液管５５及び高濃度溶液管７５には、低温熱交換器５８が配設されている。低温熱交換器５８は、希溶液管５５を流れる希溶液Ｓｗと、高濃度溶液管７５を流れる高濃度溶液Ｓａとの間で熱交換を行わせる機器である。
【００３５】
高温吸収器１０は、吸収ヒートポンプ１の高さを抑制する観点から、低温吸収器５０の高さ以下の高さに配置されている。ここで、各吸収器の高さとは、各吸収器内に設けられている溶液の散布装置（高温吸収器１０であれば高濃度溶液散布ノズル１２、低温吸収器５０であれば吸収液散布ノズル５２）の高さをいうこととする。本実施の形態では、高温吸収器１０と低温吸収器５０とが同じ高さに配置されている。つまり、高温吸収器１０内の中濃度溶液Ｓｂは、少なくとも起動時には、位置ヘッドでは低温吸収器５０に流入しない。低温吸収器５０は、高温吸収器１０に対して、このような高さに配置されていることとなる。高温吸収器１０及び低温吸収器５０がこのように配置されていると、吸収ヒートポンプ１の運転中は、両者の内圧の差によって、中濃度溶液Ｓｂが高温吸収器１０から低温吸収器５０に流動する。しかし、中濃度溶液Ｓｂを流動させることができるほど両者の内圧に差が生じていない起動時は、中濃度溶液Ｓｂを流動させることができない。そこで、吸収ヒートポンプ１では、中濃度溶液Ｓｂを低温吸収器５０に圧送する溶液戻りポンプ３６を、中濃度溶液管１５に配設している。溶液戻りポンプ３６は、高温吸収器１０の中濃度溶液Ｓｂを直接的に（他の吸収器を経由せずに）低温吸収器５０に導くものであり、第１の吸収液戻りポンプに相当する。溶液戻りポンプ３６は、インバータ制御、ＯＮ−ＯＦＦ制御のどちらを採用してもよい。
【００３６】
気液分離器９０は、高温吸収器１０の伝熱管１１を流れて加熱された被加熱媒体Ｗを導入し、被加熱媒体蒸気Ｗｖと被加熱媒体液Ｗｑとを分離する機器である。気液分離器９０の下部と高温吸収器１０の伝熱管１１の一端とは、被加熱媒体液Ｗｑを伝熱管１１に導く被加熱媒体液管９２で接続されている。被加熱媒体液管９２には、被加熱媒体液Ｗｑを伝熱管１１に向けて圧送する被加熱媒体ポンプ９３が配設されている。内部が気相部となる気液分離器９０の側面と伝熱管１１の他端とは、加熱された被加熱媒体Ｗを気液分離器９０に導く加熱後被加熱媒体管９４で接続されている。また、気液分離器９０には、蒸気として系外に供給された分の被加熱媒体Ｗを補うための補給水Ｗｓを系外から導入する補給水管９５が接続されている。補給水管９５には、気液分離器９０に向けて補給水Ｗｓを圧送する補給水ポンプ９６が配設されている。また、気液分離器９０には、被加熱媒体蒸気Ｗｖを系外に供給する被加熱媒体蒸気供給管９９が上部（典型的には頂部）に接続されている。気液分離器９０は、伝熱管１１内で被加熱媒体液Ｗｑの一部が蒸発して被加熱媒体液Ｗｑと被加熱媒体蒸気Ｗｖとが混合した混合被加熱媒体Ｗｍを導入してもよく、被加熱媒体液Ｗｑのまま気液分離器９０に導いて減圧し一部を気化させて混合被加熱媒体Ｗｍとしたものを気液分離させるようにしてもよい。
【００３７】
引き続き図１を参照して、吸収ヒートポンプ１の作用を説明する。まず、冷媒側のサイクルを説明する。凝縮器８０では、再生器７０で発生した再生器冷媒蒸気Ｖｇを受け入れて、冷却水管８１を流れる冷却水ｃで再生器冷媒蒸気Ｖｇを冷却して凝縮し、冷媒液Ｖｆとする。凝縮した冷媒液Ｖｆは、凝縮冷媒ポンプ８９で高温蒸発器２０及び低温蒸発器６０に向けて圧送される。凝縮冷媒ポンプ８９で圧送された冷媒液Ｖｆは、冷媒液管８８を流れた後、冷媒液管８４と冷媒液管８６とに分流される。冷媒液管８４を流れる冷媒液Ｖｆは、冷媒気液分離胴２１に導入される。冷媒液管８６を流れる冷媒液Ｖｆは、低温蒸発器６０に導入される。
【００３８】
低温蒸発器６０に導入された冷媒液Ｖｆは、低温冷媒液ポンプ６６によって冷媒液散布ノズル６２に圧送され、冷媒液散布ノズル６２から熱源管６１に向けて散布される。冷媒液散布ノズル６２から散布された冷媒液Ｖｆは、熱源管６１内を流れる排温水ｈによって加熱され蒸発して低温冷媒蒸気Ｖｃとなる。低温蒸発器６０で発生した低温冷媒蒸気Ｖｃは、低温蒸発器６０と連通する低温吸収器５０へと移動する。他方、冷媒気液分離胴２１に導入された冷媒液Ｖｆは、高温冷媒液ポンプ２３によって低温吸収器５０の加熱管５１に送られる。加熱管５１に送られた冷媒液Ｖｆは、低温吸収器５０において、低温蒸発器６０から移動してきた低温冷媒蒸気Ｖｃが中濃度溶液Ｓｂに吸収される際に発生する吸収熱により加熱され、この加熱により蒸発して高温冷媒蒸気Ｖａとなる。加熱管５１内で発生した高温冷媒蒸気Ｖａは、高温蒸発器２０に向かって高温冷媒蒸気受入管２４を流れ、冷媒気液分離胴２１に至る。なお、高温冷媒蒸気Ｖａは、冷媒液Ｖｆよりも密度が小さい。したがって、高温冷媒液ポンプ２３は、冷媒気液分離胴２１内の冷媒液Ｖｆを、加熱管５１に到達させることができる能力があれば足りる。冷媒気液分離胴２１に流入した高温冷媒蒸気Ｖａは、高温冷媒蒸気管２９を介して高温蒸発器２０と連通する高温吸収器１０へと移動する。
【００３９】
次に吸収ヒートポンプ１の吸収液側のサイクルを説明する。高温吸収器１０では、高濃度溶液Ｓａが高濃度溶液散布ノズル１２から散布され、この散布された高濃度溶液Ｓａが高温蒸発器２０から移動してきた高温冷媒蒸気Ｖａを吸収する。高温冷媒蒸気Ｖａを吸収した高濃度溶液Ｓａは、濃度が低下して中濃度溶液Ｓｂとなる。高温吸収器１０では、高濃度溶液Ｓａが高温冷媒蒸気Ｖａを吸収する際に吸収熱が発生する。この吸収熱により、伝熱管１１を流れる被加熱媒体液Ｗｑが加熱される。ここで、被加熱媒体蒸気Ｗｖを取り出すための気液分離器９０まわりの作用について説明する。
【００４０】
気液分離器９０には、系外から補給水Ｗｓが補給水管９５を介して導入される。補給水Ｗｓは、補給水ポンプ９６により補給水管９５を圧送され、気液分離器９０に導入される。気液分離器９０に導入された補給水Ｗｓは、被加熱媒体液Ｗｑとして気液分離器９０の下部に貯留される。気液分離器９０の下部に貯留されている被加熱媒体液Ｗｑは、被加熱媒体ポンプ９３で高温吸収器１０の伝熱管１１に送られる。伝熱管１１に送られた被加熱媒体液Ｗｑは、高温吸収器１０における上述の吸収熱により加熱される。伝熱管１１で加熱された被加熱媒体液Ｗｑは、一部が蒸発して被加熱媒体蒸気Ｗｖとなった混合被加熱媒体Ｗｍとして、あるいは温度が上昇した被加熱媒体液Ｗｑとして、気液分離器９０に向けて加熱後被加熱媒体管９４を流れる。加熱後被加熱媒体管９４を、温度が上昇した被加熱媒体液Ｗｑが流れる場合、被加熱媒体液Ｗｑは、気液分離器９０に導入される際に減圧され、一部が蒸発して被加熱媒体蒸気Ｗｖとなった混合被加熱媒体Ｗｍとして気液分離器９０に導入される。気液分離器９０に導入された混合被加熱媒体Ｗｍは、被加熱媒体液Ｗｑと被加熱媒体蒸気Ｗｖとが分離される。分離された被加熱媒体液Ｗｑは、気液分離器９０の下部に貯留され、再び高温吸収器１０の伝熱管１１に送られる。他方、分離された被加熱媒体蒸気Ｗｖは、被加熱媒体蒸気供給管９９に導出され、蒸気利用場所に供給される。本実施の形態では、０．８ＭＰａ（ゲージ圧）程度の被加熱媒体蒸気Ｗｖが導出される。
【００４１】
再び吸収ヒートポンプ１の吸収液側のサイクルの説明に戻る。高温吸収器１０で高温冷媒蒸気Ｖａを吸収した高濃度溶液Ｓａは、濃度が低下して中濃度溶液Ｓｂとなり、貯留部１３に貯留される。貯留部１３内の中濃度溶液Ｓｂは、低温吸収器５０に向かって中濃度溶液管１５を流れ、高温熱交換器１８で高濃度溶液Ｓａと熱交換して温度が低下した後に、吸収液散布ノズル５２に至る。ここで、吸収ヒートポンプ１は、前述のように、高温吸収器１０内の中濃度溶液Ｓｂが位置ヘッドでは低温吸収器５０に流入しない高さに高温吸収器１０及び低温吸収器５０が配置されている。したがって、吸収ヒートポンプ１の起動時の、高温吸収器１０と低温吸収器５０との間に内圧の差が生じていないときは、溶液戻りポンプ３６を起動して、高温吸収器１０内の中濃度溶液Ｓｂを溶液戻りポンプ３６で低温吸収器５０に圧送する。その後、吸収ヒートポンプ１が定常運転状態となると、高温吸収器１０の内部圧力が低温吸収器５０の内部圧力よりも高くなり、両者の内圧の差によって、高温吸収器１０内の中濃度溶液Ｓｂを低温吸収器５０に搬送することができるようになる。このため、吸収ヒートポンプ１が定常運転状態になったら、溶液戻りポンプ３６を止めることができる。なお、ここでいう定常運転状態とは、高濃度溶液Ｓａ及び中濃度溶液Ｓｂが予定されている濃度となった状態である。
【００４２】
低温吸収器５０では、吸収液散布ノズル５２に流入した中濃度溶液Ｓｂが加熱管５１に向けて散布される。散布された中濃度溶液Ｓｂは、低温蒸発器６０から移動してきた低温冷媒蒸気Ｖｃを吸収する。低温冷媒蒸気Ｖｃを吸収した中濃度溶液Ｓｂは、濃度が低下して希溶液Ｓｗとなる。低温吸収器５０では、中濃度溶液Ｓｂが低温冷媒蒸気Ｖｃを吸収する際に吸収熱が発生する。この吸収熱により、加熱管５１を流れる冷媒液Ｖｆが加熱され、高温冷媒蒸気Ｖａが生成される。低温吸収器５０内の希溶液Ｓｗは、重力及び希溶液ポンプ５６により再生器７０に向かって希溶液管５５を流れる。この際、希溶液Ｓｗは、低温熱交換器５８で高濃度溶液Ｓａと熱交換して温度が低下した後に、再生器７０に導入される。なお、希溶液ポンプ５６が作動しなくても希溶液Ｓｗが再生器７０に流入する場合は、希溶液ポンプ５６を停止するとよい。再生器７０に送られた希溶液Ｓｗは、希溶液散布ノズル７２から散布される。希溶液散布ノズル７２から散布された希溶液Ｓｗは、熱源管７１を流れる排温水ｈ（本実施の形態では約８０℃前後）によって加熱され、散布された希溶液Ｓｗ中の冷媒が蒸発して高濃度溶液Ｓａとなり、再生器７０の下部に貯留される。他方、希溶液Ｓｗから蒸発した冷媒Ｖは、再生器冷媒蒸気Ｖｇとして凝縮器８０へと移動する。再生器７０の下部に貯留された高濃度溶液Ｓａは、高濃度溶液ポンプ７６により、高濃度溶液管７５を介して高温吸収器１０の高濃度溶液散布ノズル１２に圧送される。高濃度溶液管７５を流れる高濃度溶液Ｓａは、低温熱交換器５８で希溶液Ｓｗと熱交換して温度が上昇し、次いで高温熱交換器１８で中濃度溶液Ｓｂと熱交換してさらに温度が上昇してから高温吸収器１０に流入し、高濃度溶液散布ノズル１２から散布される。以降、同様のサイクルを繰り返す。
【００４３】
以上で説明したように、本実施の形態に係る吸収ヒートポンプ１は、全高を抑制するために、高温吸収器１０内の中濃度溶液Ｓｂが位置ヘッドでは低温吸収器５０に流入しない高さに、高温吸収器１０及び低温吸収器５０が配置されている場合でも、溶液戻りポンプ３６で吸収液Ｓを低温吸収器５０に導くことができ、吸収ヒートポンプ１の安定した起動が可能になる。
【００４４】
次に図２を参照して、本発明の第１の実施の形態の第１の変形例に係る吸収ヒートポンプ１Ａを説明する。図２は、吸収ヒートポンプ１Ａの模式的系統図である。吸収ヒートポンプ１Ａは、三段昇温型の吸収ヒートポンプである。吸収ヒートポンプ１Ａは、吸収ヒートポンプ１（図１参照）と比較して、以下の点が異なっている。吸収ヒートポンプ１Ａは、吸収ヒートポンプ１（図１参照）の構成に加えて、中温吸収器３０及び中温蒸発器４０を備えている。中温吸収器３０は、高温吸収器１０よりも作動温度及び作動圧力が低く、低温吸収器５０よりも作動温度及び作動圧力が高い吸収器である。中温蒸発器４０は、高温蒸発器２０よりも作動温度及び作動圧力が低く、低温蒸発器６０よりも作動温度及び作動圧力が高い蒸発器である。
【００４５】
中温吸収器３０は、冷媒液Ｖｆ及び高温冷媒蒸気Ｖａの流路を構成する加熱管３１と、吸収液散布ノズル３２とを内部に有している。加熱管３１は、一端に高温冷媒液供給管２２が、他端に高温冷媒蒸気受入管２４が、それぞれ接続されている。つまり、本変形例では、高温冷媒液供給管２２が高温蒸発器２０内の冷媒液Ｖｆを中温吸収器３０の加熱管３１に導く流路を構成し、高温冷媒蒸気受入管２４が中温吸収器３０の加熱管３１で冷媒液Ｖｆが加熱されて生成された高温冷媒蒸気Ｖａあるいは高温冷媒蒸気Ｖａと冷媒液Ｖｆとの冷媒気液混相を冷媒気液分離胴２１まで案内する流路を構成し、中温吸収器３０の加熱管３１の内面を高温蒸発器２０の伝熱面としている。吸収液散布ノズル３２は、本変形例では、中濃度溶液Ｓｂを散布する。つまり、本変形例では、中濃度溶液管１５が、低温吸収器５０の吸収液散布ノズル５２ではなく、中温吸収器３０の吸収液散布ノズル３２に接続されている。また、本変形例では、溶液戻りポンプ３６に代えて、溶液戻りポンプ１６が中濃度溶液管１５に設けられている。溶液戻りポンプ１６は、第２の吸収液戻りポンプに相当する。吸収液散布ノズル３２は、散布した中濃度溶液Ｓｂが加熱管３１に降りかかるように、加熱管３１の上方に配設されている。中温吸収器３０は、吸収液散布ノズル３２から中濃度溶液Ｓｂが散布され、中濃度溶液Ｓｂが中温冷媒蒸気Ｖｂを吸収する際に生じる吸収熱により、加熱管３１を流れる冷媒液Ｖｆを加熱して高温冷媒蒸気Ｖａを生成することができるように構成されている。中温吸収器３０の下部には、低濃度溶液Ｓｃが貯留される貯留部３３が形成されている。低濃度溶液Ｓｃは、吸収液散布ノズル３２から散布された中濃度溶液Ｓｂが中温冷媒蒸気Ｖｂを吸収して濃度が低下した吸収液Ｓであり、低温吸収器５０で生じる希溶液Ｓｗよりも濃度が高い。加熱管３１は、貯留部３３よりも上方に配設されている。
【００４６】
中温蒸発器４０は、中温吸収器３０に中温冷媒蒸気Ｖｂを供給する構成部材である。中温蒸発器４０は、冷媒液Ｖｆ及び中温冷媒蒸気Ｖｂを収容する冷媒気液分離胴４１と、中温冷媒液供給管４２と、中温冷媒蒸気受入管４４とを有している。中温冷媒液供給管４２は、冷媒液Ｖｆを低温吸収器５０の加熱管５１に導く流路を構成する管である。中温冷媒蒸気受入管４４は、低温吸収器５０の加熱管５１で冷媒液Ｖｆが加熱されて生成された中温冷媒蒸気Ｖｂあるいは中温冷媒蒸気Ｖｂと冷媒液Ｖｆとの冷媒気液混相を冷媒気液分離胴４１まで案内する流路を構成する管である。冷媒気液分離胴４１は、高温蒸発器２０の冷媒気液分離胴２１と同様に構成されている。本変形例では、低温吸収器５０の加熱管５１の内面を中温蒸発器４０の伝熱面としている。また、中温蒸発器４０には冷媒液Ｖｆを導入する冷媒液管８４が接続されている。他方、吸収ヒートポンプ１（図１参照）では冷媒液管８４が接続されていた高温蒸発器２０には、冷媒液管８４に代えて、冷媒液管８８から分岐した冷媒液管８２が接続されている。中温蒸発器４０に接続された冷媒液管８４には、流量調節弁８５が配設されている。中温冷媒液供給管４２は、冷媒気液分離胴４１の冷媒液Ｖｆが貯留されている部分に一端が接続され、他端が加熱管５１の一端に接続されている。中温冷媒液供給管４２には、冷媒気液分離胴４１内の冷媒液Ｖｆを加熱管５１に送る中温冷媒液ポンプ４３が配設されている。中温冷媒蒸気受入管４４は、冷媒気液分離胴４１に一端が接続され、他端が加熱管５１の他端に接続されている。なお、加熱管５１の内部で冷媒液Ｖｆが蒸気に変化して密度が大幅に減少するので、加熱管５１を気泡ポンプとして機能させることとして、中温冷媒液ポンプ４３を省略することとしてもよい。
【００４７】
中温蒸発器４０と中温吸収器３０とは、中温冷媒蒸気流路としての中温冷媒蒸気管４９で接続されている。中温冷媒蒸気管４９は、一方の端部が冷媒気液分離胴４１の上部（典型的には頂部）に接続されており、他方の端部が吸収液散布ノズル３２よりも上方で中温吸収器３０に接続されている。このような構成により、中温蒸発器４０で生成された中温冷媒蒸気Ｖｂを、中温冷媒蒸気管４９を介して、中温吸収器３０に供給することができるようになっている。中温吸収器３０の貯留部３３と、低温吸収器５０の吸収液散布ノズル５２とは、低濃度溶液Ｓｃを流す低濃度溶液管３５で接続されている。低濃度溶液管３５には、溶液戻りポンプ３６が設けられている。溶液戻りポンプ３６は、本変形例では、高温吸収器１０の吸収液Ｓを、中温吸収器３０を介して（間接的に）低温吸収器５０に導くものであり、第１の吸収液戻りポンプに相当する。低濃度溶液管３５及び高濃度溶液管７５には、中温熱交換器３８が配設されている。中温熱交換器３８は、低濃度溶液管３５を流れる低濃度溶液Ｓｃと、高濃度溶液管７５を流れる高濃度溶液Ｓａとの間で熱交換を行わせる機器である。中温熱交換器３８は、高濃度溶液管７５に沿って見て、低温熱交換器５８と高温熱交換器１８との間に配設されている。
【００４８】
吸収ヒートポンプ１Ａは、高さを抑制する観点から、中温吸収器３０が、低温吸収器５０の高さ以下の高さに配置されている。本変形例では、中温吸収器３０と低温吸収器５０とが同じ高さに配置されている。つまり、低温吸収器５０は、中温吸収器３０内の低濃度溶液Ｓｃが、位置ヘッドでは低温吸収器５０に流入しない高さに配置されていることとなる。また、吸収ヒートポンプ１Ａは、設置面積を抑制する観点から、高温吸収器１０が、中温吸収器３０の下方に配置されている。換言すれば、中温吸収器３０と高温吸収器１０とは、上下に並んでいる。吸収ヒートポンプ１Ａの上記以外の構成は、吸収ヒートポンプ１と同様である。
【００４９】
上述のように構成された吸収ヒートポンプ１Ａの作用は、以下の点で、吸収ヒートポンプ１（図１参照）と異なる。吸収ヒートポンプ１Ａの冷媒側のサイクルに関し、凝縮器８０で凝縮した冷媒液Ｖｆは、凝縮冷媒ポンプ８９で高温蒸発器２０、中温蒸発器４０及び低温蒸発器６０に向けて圧送される。凝縮冷媒ポンプ８９で圧送された冷媒液Ｖｆは、冷媒液管８８を流れた後、冷媒液管８２と冷媒液管８３とに分流される。冷媒液管８２を流れる冷媒液Ｖｆは、冷媒気液分離胴２１に導入される。他方、冷媒液管８３を流れる冷媒液Ｖｆは、冷媒液管８４と冷媒液管８６とに分流される。冷媒液管８４を流れる冷媒液Ｖｆは、冷媒気液分離胴４１に導入される。なお、冷媒液管８６を流れる冷媒液Ｖｆが低温蒸発器６０に導入されるのは、吸収ヒートポンプ１（図１参照）と同様である。低温蒸発器６０では、吸収ヒートポンプ１（図１参照）と同様に、低温冷媒蒸気Ｖｃが発生し、発生した低温冷媒蒸気Ｖｃは低温吸収器５０へと移動する。
【００５０】
冷媒気液分離胴４１に導入された冷媒液Ｖｆは、中温冷媒液ポンプ４３によって低温吸収器５０の加熱管５１に送られる。加熱管５１に送られた冷媒液Ｖｆは、低温吸収器５０において、低温蒸発器６０から移動してきた低温冷媒蒸気Ｖｃが低濃度溶液Ｓｃに吸収される際に発生する吸収熱により加熱され、この加熱により蒸発して中温冷媒蒸気Ｖｂとなる。加熱管５１内で発生した中温冷媒蒸気Ｖｂは、中温蒸発器４０に向かって中温冷媒蒸気受入管４４を流れ、冷媒気液分離胴４１に至る。冷媒気液分離胴４１に流入した中温冷媒蒸気Ｖｂは、中温冷媒蒸気管４９を流れて中温吸収器３０へと移動する。他方、冷媒気液分離胴２１に導入された冷媒液Ｖｆは、高温冷媒液ポンプ２３によって中温吸収器３０の加熱管３１に送られる。加熱管３１に送られた冷媒液Ｖｆは、中温吸収器３０において、中温蒸発器４０から移動してきた中温冷媒蒸気Ｖｂが中濃度溶液Ｓｂに吸収される際に発生する吸収熱により加熱され、この加熱により蒸発して高温冷媒蒸気Ｖａとなる。加熱管３１内で発生した高温冷媒蒸気Ｖａは、高温蒸発器２０に向かって高温冷媒蒸気受入管２４を流れ、冷媒気液分離胴２１に至る。冷媒気液分離胴２１に流入した高温冷媒蒸気Ｖａは、高温冷媒蒸気管２９を流れて高温吸収器１０へと移動する。
【００５１】
吸収ヒートポンプ１Ａの吸収液側のサイクルに関し、高温吸収器１０及び気液分離器９０まわりにおける作用は、吸収ヒートポンプ１（図１参照）と同様である。高温吸収器１０の貯留部１３内の中濃度溶液Ｓｂは、中温吸収器３０に向かって中濃度溶液管１５を流れ、高温熱交換器１８で高濃度溶液Ｓａと熱交換して温度が低下した後に、吸収液散布ノズル３２に至る。ここで、吸収ヒートポンプ１Ａは、前述のように、高温吸収器１０が中温吸収器３０の下方に配置されており、高温吸収器１０内の中濃度溶液Ｓｂが位置ヘッドでは中温吸収器３０に流入しない高さに高温吸収器１０及び中温吸収器３０が配置されている。したがって、吸収ヒートポンプ１Ａの起動時の、高温吸収器１０と中温吸収器３０との間に内圧の差が生じていないときは、溶液戻りポンプ１６を起動して、高温吸収器１０内の中濃度溶液Ｓｂを溶液戻りポンプ１６で中温吸収器３０に圧送する。その後、吸収ヒートポンプ１Ａが定常運転状態となると、高温吸収器１０の内部圧力が中温吸収器３０の内部圧力よりも高くなり、両者の内圧の差によって、高温吸収器１０内の中濃度溶液Ｓｂを中温吸収器３０に搬送することができるようになる。このため、吸収ヒートポンプ１Ａが定常運転状態になったら、溶液戻りポンプ１６を止めることができる。
【００５２】
中温吸収器３０では、吸収液散布ノズル３２に流入した中濃度溶液Ｓｂが加熱管３１に向けて散布される。散布された中濃度溶液Ｓｂは、中温蒸発器４０から移動してきた中温冷媒蒸気Ｖｂを吸収する。中温冷媒蒸気Ｖｂを吸収した中濃度溶液Ｓｂは、濃度が低下して低濃度溶液Ｓｃとなり、貯留部３３に貯留される。中温吸収器３０では、中濃度溶液Ｓｂが中温冷媒蒸気Ｖｂを吸収する際に吸収熱が発生する。この吸収熱により、加熱管３１を流れる冷媒液Ｖｆが加熱され、高温冷媒蒸気Ｖａが生成される。中温吸収器３０の貯留部３３内の低濃度溶液Ｓｃは、低温吸収器５０に向かって低濃度溶液管３５を流れ、中温熱交換器３８で高濃度溶液Ｓａと熱交換して温度が低下した後に、吸収液散布ノズル５２に至る。ここで、吸収ヒートポンプ１Ａは、前述のように、中温吸収器３０内の低濃度溶液Ｓｃが位置ヘッドでは低温吸収器５０に流入しない高さに中温吸収器３０及び低温吸収器５０が配置されている。したがって、吸収ヒートポンプ１Ａの起動時の、中温吸収器３０と低温吸収器５０との間に内圧の差が生じていないときは、溶液戻りポンプ３６を起動して、中温吸収器３０内の低濃度溶液Ｓｃを溶液戻りポンプ３６で低温吸収器５０に圧送する。その後、吸収ヒートポンプ１Ａが定常運転状態となると、中温吸収器３０の内部圧力が低温吸収器５０の内部圧力よりも高くなり、両者の内圧の差によって、中温吸収器３０内の低濃度溶液Ｓｃを低温吸収器５０に搬送することができるようになる。このため、吸収ヒートポンプ１Ａが定常運転状態になったら、溶液戻りポンプ３６を止めることができる。
【００５３】
低温吸収器５０における作用は、吸収液散布ノズル５２から散布されるのが、吸収ヒートポンプ１（図１参照）では中濃度溶液Ｓｂであったものが、低濃度溶液Ｓｃに変わる点を除き、吸収ヒートポンプ１（図１参照）と同様である。再生器７０における作用は、吸収ヒートポンプ１（図１参照）と同様である。なお、吸収ヒートポンプ１Ａでは、再生器７０から高温吸収器１０に向けて高濃度溶液管７５を流れる高濃度溶液Ｓａが、低温熱交換器５８で希溶液Ｓｗと熱交換して温度が上昇し、次いで中温熱交換器３８で低濃度溶液Ｓｃと熱交換してさらに温度が上昇し、次いで高温熱交換器１８で中濃度溶液Ｓｂと熱交換してさらに温度が上昇してから高温吸収器１０に流入する。
【００５４】
以上で説明したように、本変形例に係る吸収ヒートポンプ１Ａは、高温吸収器１０内の中濃度溶液Ｓｂが位置ヘッドでは中温吸収器３０に流入しない高さに、中温吸収器３０内の低濃度溶液Ｓｃが位置ヘッドでは低温吸収器５０に流入しない高さに、高温吸収器１０、中温吸収器３０及び低温吸収器５０が配置されている場合でも、溶液戻りポンプ１６で中濃度溶液Ｓｂを中温吸収器３０に、溶液戻りポンプ３６で低濃度溶液Ｓｃを低温吸収器５０に、それぞれ導くことができ、吸収ヒートポンプ１Ａの安定した起動が可能になる。また、吸収ヒートポンプ１Ａは、中温吸収器３０が高温吸収器１０よりも高所に配置され、中温吸収器３０と低温吸収器５０とが同じ高さに配置されているので、高温冷媒蒸気管２９及び中温冷媒蒸気管４９の長さを抑制することができる。高温冷媒蒸気管２９及び中温冷媒蒸気管４９は、気体である蒸気を搬送する管であって口径が大きくなりがちであるから、長さを抑制することができると大きなメリットとなる。
【００５５】
次に図３を参照して、本発明の第１の実施の形態の第２の変形例に係る吸収ヒートポンプ１Ｂを説明する。図３は、吸収ヒートポンプ１Ｂの模式的系統図である。吸収ヒートポンプ１Ｂは、三段昇温型の吸収ヒートポンプである。吸収ヒートポンプ１Ｂは、吸収ヒートポンプ１Ａ（図２参照）と比較して、以下の点が異なっている。吸収ヒートポンプ１Ｂは、高温吸収器１０が中温吸収器３０の上方に配置された状態で、高温吸収器１０と中温吸収器３０とが上下に並んでいる。このように配置されていることで、吸収ヒートポンプ１Ｂの起動時の、高温吸収器１０と中温吸収器３０との間に内圧の差が生じていないときでも、高温吸収器１０内の中濃度溶液Ｓｂを位置ヘッドで中温吸収器３０に流動させることができる。このため、吸収ヒートポンプ１Ｂでは、吸収ヒートポンプ１Ａ（図２参照）が備えていた溶液戻りポンプ１６（図２参照）を備えていない。吸収ヒートポンプ１Ｂは、高温吸収器１０と低温吸収器５０とが同じ高さに配置されているが、高温吸収器１０が低温吸収器５０の高さ以下の高さに配置されていてもよい。吸収ヒートポンプ１Ｂの上記以外の構成は、吸収液Ｓ及び冷媒Ｖの流路構成を含めて、吸収ヒートポンプ１Ａ（図２参照）と同様である。したがって、吸収ヒートポンプ１Ｂにおいても、低温吸収器５０は、中温吸収器３０内の低濃度溶液Ｓｃが、位置ヘッドでは低温吸収器５０に流入しない高さに配置されている。
【００５６】
上述のように構成された吸収ヒートポンプ１Ｂの作用は、高温吸収器１０と中温吸収器３０との間に内圧の差が生じていないときに高温吸収器１０内の中濃度溶液Ｓｂを位置ヘッドで中温吸収器３０に流動させる点を除き、吸収ヒートポンプ１Ａ（図２参照）と同様である。したがって、吸収ヒートポンプ１Ｂは、起動時の、中温吸収器３０と低温吸収器５０との間に内圧の差が生じていないときに、溶液戻りポンプ３６で低濃度溶液Ｓｃを低温吸収器５０に導くことができ、吸収ヒートポンプ１Ｂの安定した起動が可能になる。なお、吸収ヒートポンプ１Ｂが定常運転状態となると、中温吸収器３０の内部圧力が低温吸収器５０の内部圧力よりも高くなる。中温吸収器３０が低温吸収器５０よりも低所に配置された吸収ヒートポンプ１Ｂでは、定常運転時の中温吸収器３０と低温吸収器５０との内圧の差によって、中温吸収器３０内の低濃度溶液Ｓｃを低温吸収器５０に搬送することができる場合は溶液戻りポンプ３６を止めることができる。また、吸収ヒートポンプ１Ｂは、高温吸収器１０と中温吸収器３０とを鉛直上下に配置しているので、設置面積を抑制することができる。
【００５７】
次に図４を参照して、本発明の第１の実施の形態の第３の変形例に係る吸収ヒートポンプ１Ｃを説明する。図４は、吸収ヒートポンプ１Ｃの模式的系統図である。吸収ヒートポンプ１Ｃは、三段昇温型の吸収ヒートポンプである。吸収ヒートポンプ１Ｃは、吸収ヒートポンプ１Ａ（図２参照）と比較して、以下の点が異なっている。吸収ヒートポンプ１Ｃは、高温吸収器１０及び中温吸収器３０が、低温吸収器５０と同じ高さに配置されている。中温吸収器３０は、中温蒸発器４０に対して極力近くに配置するのが好ましく、高温吸収器１０は、高温蒸発器２０に対して極力近くに配置するのが好ましい。このように配置すると、高温冷媒蒸気管２９及び中温冷媒蒸気管４９の長さを抑制することができる。高温冷媒蒸気管２９及び中温冷媒蒸気管４９は、気体である蒸気を搬送する管であって口径が大きくなりがちであるから、長さを抑制することができると大きなメリットとなる。吸収ヒートポンプ１Ｃの上記以外の構成は、吸収液Ｓ及び冷媒Ｖの流路構成を含めて、吸収ヒートポンプ１Ａ（図２参照）と同様である。したがって、吸収ヒートポンプ１Ｃにおいても、低温吸収器５０は、中温吸収器３０内の低濃度溶液Ｓｃが、位置ヘッドでは低温吸収器５０に流入しない高さに配置されている。また、中温吸収器３０は、高温吸収器１０内の中濃度溶液Ｓｂが、位置ヘッドでは中温吸収器３０に流入しない高さに配置されている。
【００５８】
上述のように構成された吸収ヒートポンプ１Ｃの作用は、吸収ヒートポンプ１Ａ（図２参照）と同様である。したがって、吸収ヒートポンプ１Ｃは、起動時の、高温吸収器１０と中温吸収器３０との間に内圧の差が生じていないときに、溶液戻りポンプ１６で中濃度溶液Ｓｂを中温吸収器３０に導くことができる。また、起動時の、中温吸収器３０と低温吸収器５０との間に内圧の差が生じていないときに、溶液戻りポンプ３６で低濃度溶液Ｓｃを低温吸収器５０に導くことができる。このため、吸収ヒートポンプ１Ｃの安定した起動が可能になる。なお、吸収ヒートポンプ１Ｃが定常運転状態となると、高温吸収器１０の内部圧力が中温吸収器３０の内部圧力よりも高くなり、両者の内圧の差によって、高温吸収器１０内の中濃度溶液Ｓｂを中温吸収器３０に搬送することができるようになる。また、中温吸収器３０の内部圧力が低温吸収器５０の内部圧力よりも高くなり、両者の内圧の差によって、中温吸収器３０内の低濃度溶液Ｓｃを低温吸収器５０に搬送することができるようになる。このため、吸収ヒートポンプ１Ｃが定常運転状態になったら、溶液戻りポンプ１６及び溶液戻りポンプ３６を止めることができる。
【００５９】
次に図５を参照して、本発明の第２の実施の形態に係る吸収ヒートポンプ２を説明する。図５は、吸収ヒートポンプ２の模式的系統図である。吸収ヒートポンプ２は、二段昇温型の吸収ヒートポンプである。吸収ヒートポンプ２は、吸収ヒートポンプ１（図１参照）と比較して、以下の点が異なっている。吸収ヒートポンプ２は、吸収ヒートポンプ１（図１参照）が備えていた溶液戻りポンプ３６（図１参照）を備えていない。他方、吸収ヒートポンプ２は、第１バイパス１７を備えている。第１バイパス１７は、第１のバイパス流路としての第１バイパス管１７ｓと、第１の弁１７ｖとを有している。第１バイパス管１７ｓは、中濃度溶液管１５を流れる中濃度溶液Ｓｂを、低温吸収器５０を経由せずに再生器７０へ導く管である。第１バイパス管１７ｓは、一端が中濃度溶液管１５に接続され、他端が再生器７０に接続されている。なお、図５では、第１バイパス管１７ｓの一端が、高温熱交換器１８よりも下流側の中濃度溶液管１５に接続されているが、高温熱交換器１８よりも上流側の中濃度溶液管１５に接続されていてもよい。第１の弁１７ｖは、第１バイパス管１７ｓに配設されている。第１の弁１７ｖは、開にすることで第１バイパス管１７ｓに中濃度溶液Ｓｂを流すことができ、閉にすることで第１バイパス管１７ｓの流路を遮断することができるように構成されている。第１バイパス１７は、高温吸収器１０の中濃度溶液Ｓｂを直接的に（他の吸収器を経由せずに）再生器７０に導く構成であり、吸収液戻り手段に相当する。また、吸収ヒートポンプ２は、低温熱交換器５８と高温熱交換器１８との間の高濃度溶液管７５と、高温熱交換器１８よりも下流側の中濃度溶液管１５とが、低温近道管７７で接続されている。低温近道管７７には、内部を流れる吸収液Ｓの流量を調節可能な低温近道弁７７ｖが配設されている。低温近道管７７の接続部と高温熱交換器１８との間の高濃度溶液管７５には、内部を流れる吸収液Ｓの流量を調節可能な第１高濃度溶液弁１７５ｖが配設されている。低温近道管７７の接続部と高温熱交換器１８との間の中濃度溶液管１５には、逆止弁１９が配設されている。逆止弁１９は、高温吸収器１０側から低温吸収器５０側への吸収液Ｓの流れを許し、その逆方向の流れを許さないように配設されている。吸収ヒートポンプ２の上記以外の構成は、吸収ヒートポンプ１Ａ（図２参照）と同様である。したがって、吸収ヒートポンプ２においても、低温吸収器５０は、高温吸収器１０内の中濃度溶液Ｓｂが、位置ヘッドでは低温吸収器５０に流入しない高さに配置されている。
【００６０】
上述のように構成された吸収ヒートポンプ２の作用は、定常運転時は吸収ヒートポンプ１（図１参照）と同様である。なお、吸収ヒートポンプ２の定常運転時は、第１高濃度溶液弁１７５ｖが開になっており、第１の弁１７ｖ及び低温近道弁７７ｖが閉になっている。吸収ヒートポンプ２は、吸収ヒートポンプ１（図１参照）の説明で述べたように、高温吸収器１０内の中濃度溶液Ｓｂが位置ヘッドでは低温吸収器５０に流入しない高さに高温吸収器１０及び低温吸収器５０が配置されている。したがって、吸収ヒートポンプ２の起動時の、高温吸収器１０と低温吸収器５０との間に内圧の差が生じていないときは、まず、第１高濃度溶液弁１７５ｖ及び低温近道弁７７ｖを開けると共に高濃度溶液ポンプ７６を起動して、再生器７０内の吸収液Ｓを高温吸収器１０及び低温吸収器５０に導く。このとき、再生器７０内の吸収液Ｓが高温吸収器１０及び低温吸収器５０に適切に供給されるように、第１高濃度溶液弁１７５ｖ及び／又は低温近道弁７７ｖの開度を調節するとよい。そして、吸収ヒートポンプ２の起動時は、高温吸収器１０内の吸収液Ｓが低温吸収器５０に戻らないので、第１の弁１７ｖを開にする。すると、高温吸収器１０内の吸収液Ｓは、位置ヘッドにより、第１バイパス管１７ｓを流れて再生器７０に流入する。他方、低温吸収器５０内の吸収液Ｓは、位置ヘッドで再生器７０に戻る。このように、吸収ヒートポンプ２の起動初期は、吸収液Ｓが、再生器７０と高温吸収器１０との間を循環すると共に、再生器７０と低温吸収器５０との間を循環する。すると、高温吸収器１０の内部圧力が徐々に上昇していくので、第１の弁１７ｖ及び低温近道弁７７ｖを徐々に閉める。そして、高温吸収器１０内の中濃度溶液Ｓｂを、高温吸収器１０と低温吸収器５０との内圧の差によって低温吸収器５０に搬送できるようになったら、第１の弁１７ｖ及び低温近道弁７７ｖを全閉にして定常運転に移行する。このように、吸収ヒートポンプ２は、起動時の、高温吸収器１０と低温吸収器５０との間に内圧の差が生じていないときに、第１バイパス管１７ｓを介して高温吸収器１０内の吸収液Ｓを再生器７０に導くことができ、吸収ヒートポンプ２の安定した起動が可能になる。なお、第１の弁１７ｖ、低温近道弁７７ｖ、第１高濃度溶液弁１７５ｖの開閉は、制御装置（不図示）によって行われるが、手動で行ってもよい。
【００６１】
次に図６を参照して、本発明の第２の実施の形態の変形例に係る吸収ヒートポンプ２Ａを説明する。図６は、吸収ヒートポンプ２Ａの模式的系統図である。吸収ヒートポンプ２Ａは、三段昇温型の吸収ヒートポンプである。吸収ヒートポンプ２Ａは、吸収ヒートポンプ１Ｃ（図４参照）と比較して、以下の点が異なっている。吸収ヒートポンプ２Ａは、吸収ヒートポンプ１Ｃ（図４参照）が備えていた溶液戻りポンプ１６（図４参照）及び溶液戻りポンプ３６（図４参照）を備えていない。他方、吸収ヒートポンプ２Ａは、第１バイパス１７と、第２バイパス３７とを備えている。第１バイパス１７は、吸収ヒートポンプ２（図５参照）に設けられている第１バイパス１７と、構成、配置、機能が同じである。ただし、図６では、第１バイパス管１７ｓの一端が高温熱交換器１８よりも上流側の中濃度溶液管１５に接続されているが、高温熱交換器１８よりも下流側の中濃度溶液管１５に接続されていてもよい。
【００６２】
第２バイパス３７は、第２のバイパス流路としての第２バイパス管３７ｓと、第２の弁３７ｖとを有している。第２バイパス管３７ｓは、低濃度溶液管３５を流れる低濃度溶液Ｓｃを、低温吸収器５０を経由せずに再生器７０へ導く管である。第２バイパス管３７ｓは、一端が低濃度溶液管３５に接続され、他端が再生器７０に接続されている。なお、図６では、第２バイパス管３７ｓの一端が、中温熱交換器３８よりも上流側の低濃度溶液管３５に接続されているが、中温熱交換器３８よりも下流側の低濃度溶液管３５に接続されていてもよい。第２の弁３７ｖは、第２バイパス管３７ｓに配設されている。第２の弁３７ｖは、開にすることで第２バイパス管３７ｓに低濃度溶液Ｓｃを流すことができ、閉にすることで第２バイパス管３７ｓの流路を遮断することができるように構成されている。
【００６３】
また、吸収ヒートポンプ２Ａは、低温熱交換器５８と中温熱交換器３８との間の高濃度溶液管７５と、中温熱交換器３８よりも下流側の低濃度溶液管３５とが、低温近道管７７で接続されている。低温近道管７７には、内部を流れる吸収液Ｓの流量を調節可能な低温近道弁７７ｖが配設されている。低温近道管７７の接続部と中温熱交換器３８との間の高濃度溶液管７５には、内部を流れる吸収液Ｓの流量を調節可能な第１高濃度溶液弁１７５ｖが配設されている。低温近道管７７の接続部と中温熱交換器３８との間の低濃度溶液管３５には、逆止弁３９が配設されている。逆止弁３９は、中温吸収器３０側から低温吸収器５０側への吸収液Ｓの流れを許し、その逆方向の流れを許さないように配設されている。また、吸収ヒートポンプ２Ａは、中温熱交換器３８と高温熱交換器１８との間の高濃度溶液管７５と、高温熱交換器１８よりも下流側の中濃度溶液管１５とが、中温近道管７８で接続されている。中温近道管７８には、内部を流れる吸収液Ｓの流量を調節可能な中温近道弁７８ｖが配設されている。中温近道管７８の接続部と高温熱交換器１８との間の高濃度溶液管７５には、内部を流れる吸収液Ｓの流量を調節可能な第２高濃度溶液弁２７５ｖが配設されている。中温近道管７８の接続部と高温熱交換器１８との間の中濃度溶液管１５には、逆止弁１９が配設されている。逆止弁１９は、高温吸収器１０側から中温吸収器３０側への吸収液Ｓの流れを許し、その逆方向の流れを許さないように配設されている。吸収ヒートポンプ２Ａの上記以外の構成は、吸収ヒートポンプ１Ｃ（図４参照）と同様である。したがって、吸収ヒートポンプ２Ａにおいても、低温吸収器５０は、中温吸収器３０内の低濃度溶液Ｓｃが、位置ヘッドでは低温吸収器５０に流入しない高さに配置されている。また、中温吸収器３０は、高温吸収器１０内の中濃度溶液Ｓｂが、位置ヘッドでは中温吸収器３０に流入しない高さに配置されている。
【００６４】
上述のように構成された吸収ヒートポンプ２Ａの作用は、定常運転時は吸収ヒートポンプ１Ｃ（図４参照）と同様である。なお、吸収ヒートポンプ２Ａの定常運転時は、第１高濃度溶液弁１７５ｖ及び第２高濃度溶液弁２７５ｖが開になっており、第１の弁１７ｖ、第２の弁３７ｖ、低温近道弁７７ｖ及び中温近道弁７８ｖが閉になっている。吸収ヒートポンプ２Ａは、吸収ヒートポンプ１Ｃ（図４参照）の説明で述べたように、高温吸収器１０内の中濃度溶液Ｓｂが位置ヘッドでは中温吸収器３０に流入しない高さに高温吸収器１０及び中温吸収器３０が配置されている。また、中温吸収器３０及び低温吸収器５０は、中温吸収器３０内の低濃度溶液Ｓｃが位置ヘッドでは低温吸収器５０に流入しない高さに配置されている。したがって、吸収ヒートポンプ２Ａの起動時の、高温吸収器１０と中温吸収器３０との間に内圧の差が生じていないとき、及び中温吸収器３０と低温吸収器５０との間に内圧の差が生じていないときは、まず、第１高濃度溶液弁１７５ｖ、第２高濃度溶液弁２７５ｖ、低温近道弁７７ｖ及び中温近道弁７８ｖを開けると共に高濃度溶液ポンプ７６を起動して、再生器７０内の吸収液Ｓを高温吸収器１０、中温吸収器３０及び低温吸収器５０に導く。このとき、再生器７０内の吸収液Ｓが高温吸収器１０、中温吸収器３０及び低温吸収器５０に適切に供給されるように、第１高濃度溶液弁１７５ｖ及び／又は第２高濃度溶液弁２７５ｖ及び／又は低温近道弁７７ｖ及び／又は中温近道弁７８ｖの開度を調節するとよい。そして、吸収ヒートポンプ２Ａの起動時は、高温吸収器１０内の吸収液Ｓが中温吸収器３０に戻らず、また、中温吸収器３０内の吸収液Ｓが低温吸収器５０に戻らないので、第１の弁１７ｖ及び第２の弁３７ｖを開にする。第１の弁１７ｖを開にすると、高温吸収器１０内の吸収液Ｓは、位置ヘッドにより、第１バイパス管１７ｓを流れて再生器７０に流入する。第２の弁３７ｖを開にすると、中温吸収器３０内の吸収液Ｓは、位置ヘッドにより、第２バイパス管３７ｓを流れて再生器７０に流入する。低温吸収器５０内の吸収液Ｓは、位置ヘッドで再生器７０に戻る。このように、吸収ヒートポンプ２Ａの起動初期は、吸収液Ｓが、再生器７０と高温吸収器１０との間を循環し、再生器７０と中温吸収器３０との間を循環し、再生器７０と低温吸収器５０との間を循環する。すると、高温吸収器１０の内部圧力が徐々に上昇していくので、第１の弁１７ｖ及び中温近道弁７８ｖを徐々に閉める。また、中温吸収器３０の内部圧力が徐々に上昇していくので、第２の弁３７ｖ及び低温近道弁７７ｖを徐々に閉める。そして、高温吸収器１０内の中濃度溶液Ｓｂを、高温吸収器１０と中温吸収器３０との内圧の差によって中温吸収器３０に搬送できるようになったら、第１の弁１７ｖ及び中温近道弁７８ｖを全閉にする。高温吸収器１０内の中濃度溶液Ｓｂが高温吸収器１０と中温吸収器３０との内圧の差で中温吸収器３０に流入するようになったとき、第２バイパス３７は、高温吸収器１０の吸収液Ｓを、中温吸収器３０を介して（間接的に）再生器７０に導くこととなる。この場合の第２バイパス３７は、吸収液戻り手段として機能していると見ることができる。他方、中温吸収器３０内の低濃度溶液Ｓｃを、中温吸収器３０と低温吸収器５０との内圧の差によって低温吸収器５０に搬送できるようになったら、第２の弁３７ｖ及び低温近道弁７７ｖを全閉にする。中温近道弁７８ｖ及び低温近道弁７７ｖを全閉にすることで定常運転に移行する。このように、吸収ヒートポンプ２Ａは、起動時の、高温吸収器１０と中温吸収器３０との間に内圧の差が生じていないときに第１バイパス管１７ｓを介して高温吸収器１０内の吸収液Ｓを再生器７０に導くことができ、中温吸収器３０と低温吸収器５０との間に内圧の差が生じていないときに第２バイパス管３７ｓを介して中温吸収器３０内の吸収液Ｓを再生器７０に導くことができ、吸収ヒートポンプ２Ａの安定した起動が可能になる。なお、第１の弁１７ｖの開閉、第２の弁３７ｖ、低温近道弁７７ｖ、中温近道弁７８ｖ、第１高濃度溶液弁１７５ｖ、第２高濃度溶液弁２７５ｖの開閉は、制御装置（不図示）によって行われるが、手動で行ってもよい。
【００６５】
以上の説明では、吸収ヒートポンプ１、１Ａ、１Ｂ、１Ｃは、起動時に、溶液戻りポンプ３６によって高温吸収器１０内の吸収液Ｓを直接的又は間接的に低温吸収器５０に導くこととし、吸収ヒートポンプ２、２Ａは、起動時に、第１バイパス１７によって高温吸収器１０内の吸収液Ｓを直接的又は間接的に再生器７０に導くこととしたが、各吸収ヒートポンプ１、１Ａ、１Ｂ、１Ｃの構成に対して、吸収ヒートポンプ２、２Ａの第１バイパス１７の構成を設け、起動時に、高温吸収器１０内の吸収液Ｓを直接的又は間接的に低温吸収器５０に導くと共に、高温吸収器１０内の吸収液Ｓを直接的又は間接的に再生器７０に導くこととしてもよい。また、吸収ヒートポンプ１Ａ、１Ｂ、１Ｃをベースとして第１バイパス１７を付加した構成においては、さらに吸収ヒートポンプ２Ａの第２バイパス３７の構成を設け、起動時に、高温吸収器１０内の吸収液Ｓを直接的又は間接的に低温吸収器５０に導くと共に、高温吸収器１０内の吸収液Ｓを再生器７０に導く、及び／又は中温吸収器３０内の吸収液Ｓを再生器７０に導くこととしてもよい。
【符号の説明】
【００６６】
１    吸収ヒートポンプ
１０  高温吸収器
１１  伝熱管
１６  溶液戻りポンプ
１７ｓ  第１バイパス管
１７ｖ  第１の弁
３０  中温吸収器
３６  溶液戻りポンプ
３７ｓ  第２バイパス管
３７ｖ  第２の弁
５０  低温吸収器
７０  再生器
Ｓａ  高濃度溶液
Ｓｂ  中濃度溶液
Ｓｃ  低濃度溶液
Ｓｗ  希溶液
Ｖａ  高温冷媒蒸気
Ｖｂ  中温冷媒蒸気
Ｖｃ  低温冷媒蒸気
Ｗ    被加熱媒体
【図１】
0006397747.tif 000002
【図２】
0006397747.tif 000003
【図３】
0006397747.tif 000004
【図４】
0006397747.tif 000005
【図５】
0006397747.tif 000006
【図６】
0006397747.tif 000007